(57)【要約】【課題】専門サイトにユーザが遷移してしまうことを回避しつつ、所定のサイトにより高い確率で誘導することのできるアフィリエイト管理サーバを提供すること。【解決手段】特徴語と、該特徴語に関連し、所定ページに到達するためのリンクを含むページのＵＲＬを記憶するデータベースを有し、端末からのウェブページ要求を受信し、該ページ要求に基づきウェブサーバより送信されたウェブページのコンテンツを受信し、前記ウェブページのコンテンツに基づく情報から特徴語を抽出し、該抽出した特徴語に関連するＵＲＬを、前記データベースを参照して検索し、その検索したＵＲＬのうち、所定のサイトに結びついているＵＲＬを抽出し、該抽出したＵＲＬを前記ウェブページ要求されたページに埋め込み、前記ＵＲＬの埋め込まれたウェブページを端末に送信するアフィリエイト管理サーバ。【選択図】図２
2011192104.tif 000002
【特許請求の範囲】
【請求項１】
インターネットに接続され、インターネットを介してアフィリエイトのサービスを管理するアフィリエイト管理サーバであって、
特徴語と、該特徴語に関連し、所定ページに到達するためのリンクを含むページのＵＲＬを記憶するリンクページデータベースと、
ユーザ端末から送信されるウェブページ要求を受信するウェブページ要求受信手段と、
前記ページ要求に基づいて、ウェブサーバより送信されたウェブページのコンテンツを受信するウェブページ受信手段と、
前記受信したウェブページのコンテンツに基づく情報から特徴語を抽出する特徴語抽出手段と、
前記抽出した特徴語に関連するＵＲＬを、前記リンクページデータベースを参照して検索しその検索したＵＲＬのうち、所定のサイトに結びついているＵＲＬを誘導リンクとして抽出する誘導リンク抽出手段と、
前記抽出したＵＲＬを前記ウェブページ要求されたページに埋め込むＵＲＬ埋め込み手段と、
前記ＵＲＬの埋め込まれたウェブページを前記ユーザ端末に送信するウェブページ送信手段と、を有することを特徴とするアフィリエイト管理サーバ。
【請求項２】
前記所定ページに到達するための少なくとも一部のページのサイトオーナーに報酬を支払うための処理を行う支払い手段を有することを特徴とする請求項１記載のアフィリエイト管理サーバ。
【請求項３】
前記所定のサイトは商品を販売するショッピングサイトであり、
前記支払い手段は、前記ショッピングサイトでの商品の販売実績に応じて前記報酬を支払うことを特徴とする請求項１又は２記載のアフィリエイト管理サーバ。
【請求項４】
インターネットに接続され、インターネットを介してアフィリエイトのサービスを管理するアフィリエイト管理方法であって、
特徴語と、該特徴語に関連し、所定ページに到達するためのリンクを含むページのＵＲＬを記憶するリンクページデータベースと、
ユーザ端末から送信されるウェブページ要求を受信するステップと、
前記ページ要求に基づいて、ウェブサーバより送信されたウェブページのコンテンツを受信するステップと、
前記受信したウェブページのコンテンツに基づく情報から特徴語を抽出するステップと、
前記抽出した特徴語に関連するＵＲＬを、前記リンクページデータベースを参照して検索しその検索したＵＲＬのうち、所定のサイトに結びついているＵＲＬを誘導リンクとして抽出するステップと、
前記抽出したＵＲＬを前記ウェブページ要求されたページに埋め込むステップと、
前記ＵＲＬの埋め込まれたウェブページを前記ユーザ端末に送信するステップと、
を有することを特徴とするアフィリエイト管理方法。
【請求項５】
ユーザを所定のウエブサイトに誘導させるためにコンピュータを、
特徴語と、該特徴語に関連し、所定ページに到達するためのリンクを含むページのＵＲＬを記憶するリンクページデータベースと、
ユーザ端末から送信されるウェブページ要求を受信するウェブページ要求受信手段と、
前記ページ要求に基づいて、ウェブサーバより送信されたウェブページのコンテンツを受信するウェブページ受信手段と、
前記受信したウェブページのコンテンツに基づく情報から特徴語を抽出する特徴語抽出手段と、
前記抽出した特徴語に関連するＵＲＬを、前記リンクページデータベースを参照して検索しその検索したＵＲＬのうち、所定のサイトに結びついているＵＲＬを誘導リンクとして抽出する誘導リンク抽出手段と、
前記抽出したＵＲＬを前記ウェブページ要求されたページに埋め込むＵＲＬ埋め込み手段と、
前記ＵＲＬの埋め込まれたウェブページを前記ユーザ端末に送信するウェブページ送信手段として機能させるためのアフィリエイト管理プログラム。
【発明の詳細な説明】
【技術分野】
【０００１】
本発明は、スタンプカードの発行、管理を行うアフィリエイト管理サーバ、アフィリエイト管理方法、およびアフィリエイト管理プログラムに関する。
【背景技術】
【０００２】
Ｗｅｂページ上に所定のＷｅｂページへの広告リンクを張り、そのリンクがユーザによりクリックされたとき、アフィリエイターに所定の報酬を与えるアフィリエイト・プログラム（成功報酬型広告：Affiliate  Program）が普及している。上記のような広告リンクのクリックがなされたときには、所定のＷｅｂページへ遷移したり、あるいは所定のＷｅｂページが提供するサービスにおいて何らかの取引が成立したりするため、広告主の利益となる。
【０００３】
そこで、ウェブサイトやブログから企業サイトへリンクを張り、ウェブサイトやブログの閲覧者がそのリンクを経由して、リンク先の企業のサイトで会員登録したり商品を購入したりすると、リンク元サイトの主催者に報酬が支払われるシステム（以下、アフィリエイトシステム）が提案されている（例えば、特許文献１参照）。
【先行技術文献】
【特許文献】
【０００４】
【特許文献１】特開２００９−０５８９８８号公報
【発明の概要】
【発明が解決しようとする課題】
【０００５】
しかしながら、上記従来のシステムでは、単にウェブサイト等の一部に商品情報やサービス情報が表示されるものであり、ウェブサイト等の内容と商品に差異があったり、商品情報が明らかでないことを理由に、その商品やサービスが消費者の購買意欲に対して与える印象が薄い場合も多く、商品やサービスの購入に結びつきにくいという問題があった。
【０００６】
一方、商品やサービスの比較検討を行っているようなサイト（以下、専門サイト）において紹介される商品情報やサービス情報は、他の情報に比べて消費者に対する影響力が大きく、訴求力が強いことが知られている。
【０００７】
このため、ウェブサイト等から上記のような専門サイトにユーザが遷移してしまうことも多く、アフィリエイトシステムを利用していても、自分のウェブサイト等から商品やサービスの購入に結びつけることができないという問題があった。
【０００８】
本発明は、上記のような課題に対応するもので、その目的は、上記のような専門サイトにユーザが遷移してしまうことを回避しつつ、所定のサイト、例えば、ユーザの好む商品を扱うサイトに、より高い確率で誘導して商品購入を促すことのできるアフィリエイト管理サーバを提供することである。
【課題を解決するための手段】
【０００９】
上記の課題を解決するため、本発明にあっては、請求項１に記載されるように、インターネットに接続され、インターネットを介してアフィリエイトのサービスを管理するアフィリエイト管理サーバであって、特徴語と、該特徴語に関連し、所定ページに到達するためのリンクを含むページのＵＲＬを記憶するリンクページデータベースと、ユーザ端末から送信されるウェブページ要求を受信するウェブページ要求受信手段と、前記ページ要求に基づいて、ウェブサーバより送信されたウェブページのコンテンツを受信するウェブページ受信手段と、前記受信したウェブページのコンテンツに基づく情報から特徴語を抽出する特徴語抽出手段と、前記抽出した特徴語に関連するＵＲＬを、前記リンクページデータベースを参照して検索しその検索したＵＲＬのうち、所定のサイトに結びついているＵＲＬを誘導リンクとして抽出する誘導リンク抽出手段と、前記抽出したＵＲＬを前記ウェブページ要求されたページに埋め込むＵＲＬ埋め込み手段と、前記ＵＲＬの埋め込まれたウェブページを前記ユーザ端末に送信するウェブページ送信手段と、を有することを特徴とするアフィリエイト管理サーバを要旨としている。
【００１０】
また、請求項２に記載されるように、請求項１記載のアフィリエイト管理サーバにおいて、前記所定ページに到達するための少なくとも一部のページのサイトオーナーに報酬を支払うための処理を行う支払い手段を有する。
【００１１】
また、請求項３に記載されるように、請求項１又は２記載のアフィリエイト管理サーバにおいて、前記所定のサイトは商品を販売するショッピングサイトであり、前記支払い手段は、前記ショッピングサイトでの商品の販売実績に応じて前記報酬を支払うことを特徴とする。
【００１２】
また、請求項４に記載されるように、インターネットに接続され、インターネットを介してアフィリエイトのサービスを管理するアフィリエイト管理方法であって、特徴語と、該特徴語に関連し、所定ページに到達するためのリンクを含むページのＵＲＬを記憶するリンクページデータベースと、ユーザ端末から送信されるウェブページ要求を受信するステップと、前記ページ要求に基づいて、ウェブサーバより送信されたウェブページのコンテンツを受信するステップと、前記受信したウェブページのコンテンツに基づく情報から特徴語を抽出するステップと、前記抽出した特徴語に関連するＵＲＬを、前記リンクページデータベースを参照して検索しその検索したＵＲＬのうち、所定のサイトに結びついているＵＲＬを誘導リンクとして抽出するステップと、前記抽出したＵＲＬを前記ウェブページ要求されたページに埋め込むステップと、前記ＵＲＬの埋め込まれたウェブページを前記ユーザ端末に送信するステップと、を有することを特徴とするアフィリエイト管理方法として構成することができる。
【００１３】
また、請求項５に記載されるように、ユーザを所定のウエブサイトに誘導させるためにコンピュータを、特徴語と、該特徴語に関連し、所定ページに到達するためのリンクを含むページのＵＲＬを記憶するリンクページデータベースと、ユーザ端末から送信されるウェブページ要求を受信するウェブページ要求受信手段と、前記ページ要求に基づいて、ウェブサーバより送信されたウェブページのコンテンツを受信するウェブページ受信手段と、前記受信したウェブページのコンテンツに基づく情報から特徴語を抽出する特徴語抽出手段と、前記抽出した特徴語に関連するＵＲＬを、前記リンクページデータベースを参照して検索しその検索したＵＲＬのうち、所定のサイトに結びついているＵＲＬを誘導リンクとして抽出する誘導リンク抽出手段と、前記抽出したＵＲＬを前記ウェブページ要求されたページに埋め込むＵＲＬ埋め込み手段と、前記ＵＲＬの埋め込まれたウェブページを前記ユーザ端末に送信するウェブページ送信手段として機能させるためのアフィリエイト管理プログラムとして構成することができる。
【発明の効果】
【００１４】
以上のように、本発明によれば、所定のサイト、例えば、商品等が表示されるウェブサイトに到達するまでに経由されるサイトに、その所定のサイトに導くためのＵＲＬが誘導リンクとして埋め込まれる。そして、そのＵＲＬの埋め込まれたウェブページがユーザ端末に送信される。すなわち、本態様によれば、ユーザ端末よりページ要求された最初のウェブページに所定サイトに誘導するための契機となるＵＲＬリンクが動的に表示される。そして、その契機となるリンクがクリックされることで、段階的で自然な経由サイトへの
誘導がなされ、所定サイトまで到達させ可能性が高まり、結果として、ユーザの囲い込みを行うことができる。
【図面の簡単な説明】
【００１５】
【図１】本発明の実施形態にかかるアフィリエイトシステムの構成例を示す図である。
【図２】本発明の実施形態にかかるアフィリエイト管理サーバの構成例を示す図である。
【図３】本発明の実施形態にかかるリンクページデータベースのデータ格納例を示す図である。
【図４】本発明の実施形態にかかるサイト誘導処理を示すシーケンス図である。
【図５】本発明の実施形態にかかるユーザ端末での表示画面遷移例を示す図である。
【図６】本発明の実施形態にかかるアフィリエイターに対する報酬支払い処理例を示すフローチャートである。
【発明を実施するための形態】
【００１６】
以下、本発明の実施形態について図を参照しながら説明する。
図１は本発明の実施形態にかかるアフィリエイト管理システムの一例を示す図である。
【００１７】
図１に示すように、本発明の実施形態に係るアフィリエイト管理システム１は、インターネットで接続され販売サイトに誘導するようなリンクを動的に生成してウェブページの要求のあったページに自動的に表示させるアフィリエイト管理サーバ１０と、ページ要求受信機能と、コンテンツ送信機能を備える一般的なＷｅｂサーバ２０と、特徴語と、該特徴語に関連するＵＲＬを記憶するリンクページデータベース（リンクページＤＢ）３０と、アフィリエイターサイトをブラウザで閲覧するユーザ端末６０と、基地局を介してアフィリエイト管理サーバ１０と通信を行うブラウザを備えた携帯端末７０、例えば、携帯電話、ＰＤＡ、スマートフォン、通信機能を備えた電子書籍端末等から構成される。ブラウザは、インターネットの標準プロトコルであるＨＴＴＰ（Hyper  Text  Transfer  Protocol）等に従い、ＨＴＭＬ（Hyper  Text  Markup  Language）等の言語で記述されたページデータの要求、取得及び表示、フォームデータの送信等を行う機能を有している。
【００１８】
図２は、本実施形態のアフィリエイト管理サーバ１０の構成例を示す図であり、ユーザ端末６０から特定のウェブページを要求する、又はユーザ端末６０からの要求に応じてＷｅｂサーバ２０にウェブページを要求するＷｅｂページ要求部１１と、Ｗｅｂサーバ２０から送信されるウェブページを受信してコンテンツを解析するコンテンツ解析部１２と、ウェブコンテンツの情報に基づいて特徴語を抽出する特徴語抽出部１３と、特徴語と、該特徴語に関連するＵＲＬを記憶するリンクページＤＢ３０にアクセスして、上記抽出した特徴語にマッチするＵＲＬのうち、所定のサイトに結びついているＵＲＬを、上記リンクページＤＢ３０を参照して抽出するコンテンツマッチ部１４と、その抽出したＵＲＬを、ユーザ端末６０よりウェブページ要求されたページに埋め込むリンク埋め込み部１５と、上記ＵＲＬの埋め込まれたウェブページをユーザ端末６０に送信するＷｅｂページ送信部１６と、所定サイトに到達する過程で経由したサイトのオーナーに報酬を支払う報酬処理部１７と、から構成される。
【００１９】
図３は、上記リンクページＤＢ３０の例を示す図であり、特徴語を示す「特徴語」フィールド（例：ｘｘｙｙ,  Ｇｏｌｆ,  Ｇｏｌｆ  ｃｌｕｂ、「ｘｘｙｙ」は氏名を示し、「Ｇｏｌｆ」は、その氏名から連想される第一の特徴語を示し、「Ｇｏｌｆ  ｃｌｕｂ」は該氏名から連想される第二の特徴語を示す）と、上記特徴語に関連するＵＲＬを示す「ＵＲＬ」フィールド（例：http://＊＊＊＊＊＊＊＊＊＊＊/sports/）と、を含んで構成される。
【００２０】
図４は、本発明の一実施例によるウェブサイトの誘導方法を説明するためのフローチャートである。本実施形態では、ユーザ端末６０より検索語となるキーワードが入力され、その検索語に基づいたＷｅｂページが閲覧されている場合を例にとり説明するが、検索キーワードが入力されず、Ｗｅｂページを要求によりニュースサイト等を閲覧している場合であってもよい。
【００２１】
ユーザ端末６０において、検索エンジンに検索キーワードが入力される（ステップＳ１１）と、上記検索キーワードがアフィリエイト管理サーバ１０のＷｅｂページ要求部１１で受信される。Ｗｅｂページ要求部１１は、受信した検索キーワードに関するウェブコンテンツのページ要求をＷｅｂサーバ２０に送信する（ステップＳ１２）。Ｗｅｂサーバ２０は、ウェブコンテンツページの要求を受信し、その要求のあったウェブコンテンツページを取得し、該ウェブコンテンツをアフィリエイト管理サーバ１０のコンテンツ解析部１２に送信する（ステップＳ１３）。コンテンツ解析部１２は、ウェブコンテンツに基づく情報について解析し（ステップＳ１４）、その解析結果を特徴語抽出部１３に出力する。
【００２２】
特徴語抽出部１３では、上記コンテンツに基づく情報から特徴語、例えば、ユーザ入力のキーワード及びコンテンツに含まれる特徴語を抽出する（ステップＳ１５）。本例では、ユーザ端末６０より入力されたキーワードに関する特徴語が抽出される。なお、ウェブコンテンツに含まれる特徴語として抽出される単語、すなわち、その抽出された単語がウェブコンテンツ内で出現頻度が高い場合、その単語は直接的にそのウェブコンテンツを特徴付ける意味を持ち、またウェブコンテンツ内のタイトルを示す箇所や文書前半等に位置する単語は、要約的にそのウェブコンテンツを特徴付ける意味を持つ。この場合であれば、ウェブコンテンツ情報に含まれる単語、すなわち、ウェブコンテンツを特徴付ける意味を持つ単語が特徴語として抽出される。上記のようにして抽出される特徴語はコンテンツマッチ部１４に出力される。
【００２３】
コンテンツマッチ部１４は、リンクページＤＢ３０を参照し、上記抽出された特徴語に対応付けて記憶されているＵＲＬのうち、所定のサイトに結びついているＵＲＬを誘導リンクとして抽出する（ステップＳ１６）。リンク埋め込み部１５は、上記抽出したＵＲＬをユーザ端末６０よりウェブページ要求されたページに埋め込み（ステップＳ１７）、そのＵＲＬの埋め込まれたウェブページがＷｅｂページ送信部１６よりユーザ端末６０に送信される（ステップＳ１８）。そして、ユーザ端末６０では、ユーザを所定のウェブサイトに誘導する契機となるＵＲＬが最初のウェブページに表示される（ステップＳ１９）。
【００２４】
図５は、本発明の一実施例によるユーザ端末６０での表示遷移例を示す図である。最初に示す表示図は、上述したステップＳ１９処理後の表示例を示しており、最初のウェブページにユーザを所定のウェブサイトに誘導する契機となるＵＲＬが表示されている（例：＜ｘｘｙｙ  使用ゴルフクラブ＞、ｘｘｙｙ  オフィシャルサイト）。ここでは、ウェブページのコンテンツの内容の分析に基づき、特徴語として、氏名：ｘｘｙｙ、Ｇｏｌｆ，Ｇｏｌｆ  Ｃｌｕｂが抽出され、その特徴語にマッチしたＵＲＬのうち、所定のサイトに結びついているＵＲＬ、例えば、「http://＊＊＊＊＊＊＊＊＊＊＊/sports/」がユーザ端末６０に表示される（５１）場合を例示している。ユーザ端末６０により、このＵＲＬがクリックされると、ＵＲＬ「http://＊＊＊＊＊＊＊＊＊＊＊/sports/」が示すｘｘｙｙオフィシャルサイトにジャンプし、該ウェブサイトが、ユーザ端末６０に表示される（５２）。
【００２５】
ｘｘｙｙオフィシャルサイトでは、上記のようにして抽出した特徴語にマッチしたコンテンツマッチ広告（本例では、広告ｎとする）が表示される。広告ｎには、誘導先ウェブサイトに結びついているリンクが埋め込まれているページへのリンクが埋め込まれている。広告ｎのＵＲＬ、例えば、「http://nnnn.co.jp」をクリックすると、広告ｎのサイトにジャンプし該ウェブサイトが、ユーザ端末６０に表示される（５３）。広告ｎのサイトには、所定のサイトに結びついているリンク、すなわち、到達先ウェブページへのリンクが埋め込まれている（本例の場合、ショッピングサイトであるＡＡショッピング店のサイト（http://store.AA.co.jp/zz-golf））。
【００２６】
ここで、該ショッピングサイトのＵＲＬをクリックすると、誘導先サイトであるＡＡショッピング店のサイトにジャンプし、該ウェブサイトが、ユーザ端末６０に表示される。以下、このショッピングサイトで商品を購入した場合の報酬処理の流れを図６に示す。
【００２７】
アフィリエイト管理サーバ１０の報酬処理部１７は、ユーザ端末６０から、ＡＡショッピング店サイトのショッピングカートに入れられた購入希望商品の注文指示を受付けると（ステップＳ２１）、決済会社の決済システムに対して商品の注文情報を送信し、注文を受付けた商品の代金の決済処理を要求する（ステップＳ２２）。
【００２８】
決済システムから商品代金の振込処理完了の通知を受け取ると（ステップＳ２３でＹＥＳ）、その購入された商品がどのウェブサイトを経て購入に至ったかが判断される（ステップＳ２４）。本例の場合、ＡＡショッピング店に到達するためのリンクを張っている広告ｎの広告サイト（経由サイトＡ）、広告ｎを表示しているｘｘｙｙオフィシャルサイト（経由サイトＢ）それぞれのサイトを経由サイトとして判断する。ステップＳ２５において、到達先サイト、すなわち誘導先サイトにたどりつく過程で経由した上記経由サイトＡ、上記経由サイトＢに一定の貢献があったものとみなし、それら経由サイトのオーナーに対し所定の報酬を支払うための処理が行われる（ステップＳ２５）。
【００２９】
一方、ステップＳ２３において、決済システムから商品代金の振込処理完了の通知がなかった場合（ステップＳ２３でＮＯ）、振込処理完了の通知を所定時間待ち（ステップＳ２６でＮＯ）、所定時間経過しても決済システムから商品代金の振込処理完了の通知がなければ（ステップＳ２６でＹＥＳ）、商品購入がキャンセルされたものとみなして処理を終了する。
【００３０】
以上のように、本実施形態では、所定のサイト、例えば、商品等が表示されるウェブサイトに到達するまでに経由されるサイトに、その所定のサイトに導くためのＵＲＬが誘導リンクとして埋め込まれる。そして、そのＵＲＬの埋め込まれたウェブページがユーザ端末に送信される。すなわち、本態様によれば、ユーザ端末６０よりページ要求された最初のウェブページに所定サイトに誘導するための契機となるＵＲＬリンクが動的に表示される。そして、その契機となるリンクがクリックされることで、段階的で自然な経由サイトへの誘導がなされ、所定サイトまでユーザを到達させる可能性が高まり、結果として、ユーザの囲い込みを行うことができる。
【００３１】
また、上記した経由サイトＡ、経由サイトＢのオーナーを、１次アフィリエイター、２次アフィリエイターとして機能させるので、それらオーナーは商品の販売実績に応じて報酬を受け取ることができる。これにより、経由サイトで表示される広告を向上させようとするインセンティブが働き、広告の訴求力を高めることが可能となり、商品、サービス比較専門サイトへのユーザの遷移を最小限におさえることが期待できる。その結果、所定サイトへユーザが到達する確率が高まり、ユーザの囲い込みを行うことができる。
【００３２】
上記実施形態では、パソコン等におけるユーザ端末６０からのアクセスに基づき所定サイトへの誘導を行う処理例について説明したが、アクセス元が上記ユーザ端末６０に限定されない。例えば、図１に示すように、アクセス元が携帯端末７０であってもよい。その場合、ブラウザを通じて携帯端末７０の画面上に表示させる処理を実行することにより、所定サイトへ誘導させる。
【００３３】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【符号の説明】
【００３４】
１      アフィリエイト管理システム
１０    アフィリエイト管理サーバ
１１    Ｗｅｂページ要求部
１２    コンテンツ解析部
１３    特徴語抽出部
１４    コンテンツマッチ部
１５    リンク埋め込み部
１６    Ｗｅｂページ送信部
１７    報酬処理部
２０    Ｗｅｂサーバ
３０    リンクページデータベース
４０    インターネット
５０    基地局
６０    ユーザ端末
７０    携帯端末
【図１】
2011192104.tif 000003
【図２】
2011192104.tif 000004
【図３】
2011192104.tif 000005
【図４】
2011192104.tif 000006
【図５】
2011192104.tif 000007
【図６】
2011192104.tif 000008